(57)【要約】【課題】  指圧棒とマイナスイオン発生装置とを結合させることで、押すと同時に近距離でマイナスイオンを放射することが可能である放射式痛み緩和指圧棒を提供する。【解決手段】  装着棒１０とマイナスイオン発生装置２０を含む。そのうち装着棒１０は円形管状の棒体１１と、棒体１１に形成される装着孔１３と、棒体１１の前端に形成される指圧ポイント１６と、径方向に沿って棒体１１の指圧ポイント１６に近いあたりに一定の間隔で配列される若干の送気孔１７とを有する。マイナスイオン発生装置２０は装着棒１０の装着孔１３に装着される本体２１と、装着棒１０のそれぞれの送気孔１７に近いマイナスイオン発生端部２３とを有する。【選択図】    図２
2006055643.tif 000002
【特許請求の範囲】
【請求項１】
円形管状の棒体、前記棒体に形成される装着孔、前記棒体の前端に形成される指圧ポイント、および径方向に沿って前記棒体の前記指圧ポイントの近傍に一定の間隔で配列される送気孔を有する装着棒と、
前記装着棒の前記装着孔に装着される本体、および前記装着棒のそれぞれの前記送気孔に近い位置にマイナスイオン発生端部を有するマイナスイオン発生装置と、
を備えることを特徴とする放射式痛み緩和指圧棒。
【請求項２】
前記装着棒の各送気孔は送気方向が軸方向に平行、外向きに放射、または内向きに集中することを特徴とする請求項１に記載の放射式痛み緩和指圧棒。
【請求項３】
前記装着棒の前記指圧ポイントは管状に形成されることを特徴とする請求項１に記載の放射式痛み緩和指圧棒。
【請求項４】
円形管状の棒体、前記棒体に形成される装着孔、前記棒体の前端に形成される指圧ポイント、径方向に沿って前記棒体の前記指圧ポイントの近傍に一定の間隔で配列される複数の送気孔、および前記指圧ポイントの内部に配置される菌組成物を有する装着棒を備えることを特徴とする放射式痛み緩和指圧棒。
【請求項５】
前記装着棒は、若干の通気孔、および前記指圧ポイントを封じる隔離ユニットを有することを特徴とする請求項４に記載の放射式痛み緩和指圧棒。
【発明の詳細な説明】
【技術分野】
【０００１】
本発明は、医療器材に関し、特に放射式痛み緩和指圧棒に関するものである。
【背景技術】
【０００２】
周知の指圧棒は単一な棒体を呈し、人体の灸点など所定の部位を押すのに用いられ、人体の痛みを解除するか医療効果を発揮するものである。
また、効果を高めるために人体にマイナスイオンをかけることが利用されている。しかし、独立のマイナスイオン発生装置が一つ増えるため、使用者は両手で別々に指圧棒とマイナスイオン発生装置を持つ必要がある。したがって、使用に不便な点を有する。また、マイナスイオンがかけられる部位の距離が離れるか、はっきりしていないため、治療効果はあまり安定しない。
【発明の開示】
【発明が解決しようとする課題】
【０００３】
本発明者は、上述の欠点に鑑みて研究に熱心であった結果、本発明の放射式痛み緩和指圧棒を完成させた。
本発明の主な目的は、指圧棒とマイナスイオン発生装置とを結合させることで、押すと同時に近距離でマイナスイオンを放射することが可能である放射式痛み緩和指圧棒を提供することである。
本発明のもう一つの目的は、構造が簡単であって、取り付け及び取り外しが容易で操作しやすい放射式痛み緩和指圧棒を提供することである。
【課題を解決するための手段】
【０００４】
上述の目的を達成するために、本発明による放射式痛み緩和指圧棒は、装着棒とマイナスイオン発生装置を含む。そのうち装着棒は円形管状の棒体と、棒体に形成される装着孔と、棒体の前端に形成される指圧ポイントと、径方向に沿って棒体の指圧ポイントに近いあたりに一定の間隔で配列される若干の送気孔とを有する。マイナスイオン発生装置は装着棒の装着孔に装着される本体と、装着棒のそれぞれの送気孔に近いマイナスイオン発生端部とを有する。
【発明を実施するための最良の形態】
【０００５】
以下、本発明の特徴と効果を下記の実施例に基づいて説明する。
図１と図２に示すように、本発明の第一実施例による放射式痛み緩和指圧棒は下記のものを含む。
装着棒１０は、円形管状の棒体１１と、持ち手１２と、棒体１１に形成される装着孔１３と、蓋部１４と、指圧ユニット１５と、棒体１１の前端に形成される指圧ポイント１６と、径方向に沿って棒体１１に一定の間隔で配列される若干の送気孔１７とを有する。それぞれの送気孔１７は一定の距離をおくように指圧ポイント１６の近くに位置付けられる。
【０００６】
マイナスイオン発生装置２０は、装着棒１０の装着孔１３に装着される円柱状の本体２１と、装着棒１０のそれぞれの送気孔１７に近いマイナスイオン発生端部２３とを有する。
電力ユニット３０は、若干の円柱状の電池３１から組成される。かつ電力ユニット３０はマイナスイオン発生装置２０に接続される。
制御装置４０は、装着棒１０の蓋部１４に被せるキャップ４１と、スイッチ４３と、表示ランプ４５とを有する。また制御装置４０は外部の電源に接続するのに用いられる電源接続孔４７を有する。
【０００７】
続いて、本実施例の使用と操作について説明する。
まず片手で指圧棒を持つことで、装着棒１０の指圧ポイント１６で人体の各部位または灸点を押したり、棒体１１を動かして指圧作用を達成したりすることが可能である。
また、必要に応じ、親指で制御装置４０のスイッチ４３を押し、電力ユニット３０によりマイナスイオン発生装置２０に電流を通すことが可能である。この時、マイナスイオン発生装置２０はマイナスイオンを発生し、マイナスイオン発生端部２３から装着棒１０のそれぞれの送気孔１７に送出する。それぞれの送気孔１７は指圧ポイント１６に近いため、指圧ポイント１６に対応する人体の各部位にマイナスイオンをかけることが可能である。
【０００８】
これにより、使用者は手で二つの装置を持つことなく、片手で指圧を操作することが可能となるため、使いやすくなる。またマイナスイオンを送出する箇所は人体の指圧される部位に近く、かつ一定の距離を保持するため、使用効果が良好であるだけでなく安定している。
前述の本発明の第一実施例のうちそれぞれのユニットは、下記のように変更しても構わない。
【０００９】
図３に示すように、指圧ユニット１５Ａと指圧ポイント１６Ａは一つのユニットに構成され、ねじ、接着剤または溶接などにより装着棒１０Ａに接合することが可能である。このような構造となる場合、それぞれの送気孔を装着棒１０Ａまたは指圧棒１５Ａに配置することが可能である。
また指圧ポイントは前端の形が円柱形、円錐形、三角形または半円形などのいずれでも構わない。
【００１０】
また図４から図６に示すように、本発明の第一実施例による指圧棒の送気孔は、軸方向に平行して放射するような送気孔１７Ａ、配置構造が外に向かう放射状を呈する送気孔１７Ｂまたは配置構造が内に向かう放射状を呈する送気孔１７Ｃのいずれでも可能であるため、異なる放射区域を有する。
また図７に示すように、本発明の第一実施例による指圧棒の送気孔１７Ｄはラッパのような開口状を呈し、さらに中心端部に送気孔１８Ｄを有するため、指圧ポイント１６Ｄが管状に形成されても、本発明の目的と効果を達成することが可能である。
【００１１】
また図８に示すのは、本発明の第二実施例である。装着棒の指圧ポイント１６Ｅは組み立てられて装着され、所定の数量の菌組成物５０Ｅと、若干の通気孔１９３Ｅを有しかつ指圧ポイント１６Ｅを封じる隔離ユニット１９Ｅとを有する。使用の際に、菌物を隔離ユニット１９Ｅの通気孔１９３Ｅからそれぞれの送気孔１７Ｅを経て人体に送入する。
【００１２】
上述の実施例で説明した本発明の長所は下記の通りである。
（１）本発明による放射式痛み緩和指圧棒は、指圧棒とマイナスイオン発生装置とを結合させることにより、押すと同時に近距離でマイナスイオンを放射するという効果を提供可能である。
（２）本発明による放射式痛み緩和指圧棒は、指圧棒とマイナスイオン発生装置とを結合させ、指圧ポイントの周囲にマイナスイオンを放射するものであるため、指圧された部位に安定して良好な治療効果をもたらすことが可能である。
（３）本発明による放射式痛み緩和指圧棒は、構造が簡単、取り付け及び取り外しが容易で操作しやすいものである。
【図面の簡単な説明】
【００１３】
【図１】本発明の第一実施例による放射式痛み緩和指圧棒が組み立てられた後の立体図である。
【図２】本発明の第一実施例による放射式痛み緩和指圧棒が分解された後の立体図である。
【図３】本発明の第一実施例による放射式痛み緩和指圧棒の変形例が分解された後の立体図である。
【図４】本発明の第一実施例による放射式痛み緩和指圧棒の送気孔の構造を示す模式図である。
【図５】本発明の第一実施例による放射式痛み緩和指圧棒の送気孔のもう一つの構造を示す模式図である。
【図６】本発明の第一実施例による放射式痛み緩和指圧棒の送気孔のまたもう一つの構造を示す模式図である。
【図７】本発明の第一実施例による放射式痛み緩和指圧棒の変形例が組み立てられた後の断面図である。
【図８】本発明の第二実施例による放射式痛み緩和指圧棒が組み立てられた後の断面図である。
【符号の説明】
【００１４】
１０、１０Ａ  装着棒、１１  棒体、１２  持ち手、１３  装着孔、１４  蓋部、１５、１５Ａ  指圧ユニット、１６、１６Ａ、１６Ｄ、１６Ｅ  指圧ポイント、１７、１７Ａ、１７Ｂ、１７Ｃ、１７Ｄ、１７Ｅ  送気孔、１８Ｄ  送気孔、１９Ｅ  隔離ユニット、１９３Ｅ  通気孔、２０  マイナスイオン発生装置、２１  本体、２３  マイナスイオン発生端部、３０  電力ユニット、３１  電池、４０  制御装置、４１  キャップ、４３  スイッチ、４５  表示ランプ、４７  電源接続孔、５０Ｅ  菌組成物
【図１】
2006055643.tif 000003
【図２】
2006055643.tif 000004
【図３】
2006055643.tif 000005
【図４】
2006055643.tif 000006
【図５】
2006055643.tif 000007
【図６】
2006055643.tif 000008
【図７】
2006055643.tif 000009
【図８】
2006055643.tif 000010